(57)【要約】【課題】任意の透光板に容易に設置することができる光装飾装置を提供すること。【解決手段】ケース内部に光源が設置され、かつ、ケース内側面に設けた開口から光源からの光を出射するように構成され、しかも、透光板の一面に装着される光源ユニットと、光源ユニットとは別体に構成され、透光板を挟んで開口と少なくとも対向する状態で透光板に装着される遮光部材とを備え、光源ユニット透光板への装着は、透光板の一面に貼着され、かつ、光源ユニットを取り付けるための取付部材を介して行われ、遮光部材の透光板への装着は、透光板を挟んでの光源ユニットと遮光部材との磁気着によって行われるように構成されている。【選択図】図２
2008047346.tif 000002
【特許請求の範囲】
【請求項１】
光源からの光を透光板内に導き該透光板の装飾を行う光装飾装置において、ケース内部に前記光源が設置され、かつ、ケース内側面に設けた開口から前記光源からの光を出射するように構成され、しかも、前記透光板の一面に装着される光源ユニットと、前記光源ユニットとは別体に構成され、前記透光板を挟んで前記開口と少なくとも対向する状態で前記透光板に装着される遮光部材とを備え、前記光源ユニット及び前記遮光部材の前記透光板への装着は、双方の前記透光板への貼着によって行われるように構成されていることを特徴とする光装飾装置。
【請求項２】
光源からの光を透光板内に導き該透光板の装飾を行う光装飾装置において、ケース内部に前記光源が設置され、かつ、ケース内側面に設けた開口から前記光源からの光を出射するように構成され、しかも、前記透光板の一面に装着される光源ユニットと、前記光源ユニットとは別体に構成され、前記透光板を挟んで前記開口と少なくとも対向する状態で前記透光板に装着される遮光部材とを備え、前記光源ユニット及び前記遮光部材の前記透光板への装着は、一方の前記透光板への貼着と、前記透光板を挟んでの前記光源ユニットと前記遮光部材との磁気着とによって行われるように構成されていることを特徴とする光装飾装置。
【請求項３】
光源からの光を透光板内に導き該透光板の装飾を行う光装飾装置において、ケース内部に前記光源が設置され、かつ、ケース内側面に設けた開口から前記光源からの光を出射するように構成され、しかも、前記透光板の一面に装着される光源ユニットと、前記光源ユニットとは別体に構成され、前記透光板を挟んで前記開口と少なくとも対向する状態で前記透光板に装着される遮光部材とを備え、前記光源ユニット及び前記遮光部材の前記透光板への装着は、前記透光板を挟んでの前記光源ユニットと前記遮光部材との磁気着によって行われるように構成されていることを特徴とする光装飾装置。
【請求項４】
光源からの光を透光板内に導き該透光板の装飾を行う光装飾装置において、ケース内部に前記光源が設置され、かつ、ケース内側面に設けた開口から前記光源からの光を出射するように構成され、しかも、前記透光板の一面に装着される光源ユニットと、前記光源ユニットとは別体に構成され、前記透光板を挟んで前記開口と少なくとも対向する状態で前記透光板に装着される遮光部材とを備え、前記光源ユニット前記透光板への装着は、前記透光板の一面に貼着され、かつ、前記光源ユニットを取り付けるための取付部材を介して行われ、前記遮光部材の前記透光板への装着は、前記透光板を挟んでの前記光源ユニットと前記遮光部材との磁気着によって行われるように構成されていることを特徴とする請求項１に記載の光装飾装置。
【請求項５】
前記取付部材に前記光源ユニットを取り付けた状態では、前記取付部材の少なくとも一部は前記開口に収容されるように構成され、該一部は前記光源からの光を前記透光板側に導く導光部を構成していることを特徴とする請求項４に記載の光装飾装置。
【請求項６】
前記取付部材の他に、前記透光板の一面に貼着され、かつ、前記取付部材に前記光源ユニットを取り付けた状態で前記開口に収容され、前記光源からの光を前記透光板側に導く導光部材を備えることを特徴とする請求項４又は５に記載の光装飾装置。
【請求項７】
前記取付部材の周縁の一部には凸部、凹部又は切欠きから構成される第１の係合部が形成され、前記ケースには、前記取付部材の貼着面に対して前記ケースを平行に一側に移動させることによって前記第１の係合部に係合され、かつ、係合状態から他側に移動させることによって係合解除される第２の係合部が形成されていることを特徴とする請求項４から６いずれか一に記載の光装飾装置。
【請求項８】
前記第１の係合部と前記第２の係合部とを係合状態に保持する係合保持部材とを備えることを特徴とする請求項７に記載の光装飾装置。
【発明の詳細な説明】
【技術分野】
【０００１】
本発明は、ガラス，アクリル等の透明材によって形成された透光板内に光を入射させて、透光板全体および特定の部位を発光させる光装飾装置に関するものである。
【背景技術】
【０００２】
従来、ガラス，アクリル等の透明材によって形成された透光板の一端部から、光源の光を導入し、その光を導光板の他端部に形成した反射パターン等に照射し、その反射光を導光板の前面に出射する光源装置が知られている（例えば、特許文献１）。
【特許文献１】特開平１１−２８１８２０号公報（図１を参照）
【発明の開示】
【発明が解決しようとする課題】
【０００３】
ところで、特許文献１に開示されているような光源装置では、光源，導光部材，透光板が一体化されており、例えば、通常使用されているガラス板を発光させて、室内インテリアとするようなことはできない。
【０００４】
本発明は、かかる問題点を解決するためになされたもので、任意の透光板に容易に設置することができる光装飾装置を提供することを目的としている。
【課題を解決するための手段】
【０００５】
請求項１記載の光装飾装置は、光源からの光を透光板内に導き該透光板の装飾を行う光装飾装置において、ケース内部に前記光源が設置され、かつ、ケース内側面に設けた開口から前記光源からの光を出射するように構成され、しかも、前記透光板の一面に装着される光源ユニットと、前記光源ユニットとは別体に構成され、前記透光板を挟んで前記開口と少なくとも対向する状態で前記透光板に装着される遮光部材とを備え、前記光源ユニット及び前記遮光部材の前記透光板への装着は、双方の前記透光板への貼着によって行われるように構成されていることを特徴とする。
この場合、光源としては、蛍光灯，発光ダイオード（ＬＥＤ）等の各種光源を採用することができる。また、遮光部材としては、例えば板状又はフィルム状のものを使用することができる。なお、光源からの光を効果的に利用するため、光源ユニットの内部や、遮光部材の内側面（つまり透光板側の面）は、鏡面にすることが好ましい。以下、同様である。
【０００６】
請求項２記載の光装飾装置は、光源からの光を透光板内に導き該透光板の装飾を行う光装飾装置において、ケース内部に前記光源が設置され、かつ、ケース内側面に設けた開口から前記光源からの光を出射するように構成され、しかも、前記透光板の一面に装着される光源ユニットと、前記光源ユニットとは別体に構成され、前記透光板を挟んで前記開口と少なくとも対向する状態で前記透光板に装着される遮光部材とを備え、前記光源ユニット及び前記遮光部材の前記透光板への装着は、一方の前記透光板への貼着と、前記透光板を挟んでの前記光源ユニットと前記遮光部材との磁気着とによって行われるように構成されていることを特徴とする。
ここで、磁気着とは、マグネットの組み合わせや、マグネットと磁性体の組み合わせによって磁気力で吸着されることをいう。以下、同様である。
【０００７】
請求項３記載の光装飾装置は、光源からの光を透光板内に導き該透光板の装飾を行う光装飾装置において、ケース内部に前記光源が設置され、かつ、ケース内側面に設けた開口から前記光源からの光を出射するように構成され、しかも、前記透光板の一面に装着される光源ユニットと、前記光源ユニットとは別体に構成され、前記透光板を挟んで前記開口と少なくとも対向する状態で前記透光板に装着される遮光部材とを備え、前記光源ユニット及び前記遮光部材の前記透光板への装着は、前記透光板を挟んでの前記光源ユニットと前記遮光部材との磁気着によって行われるように構成されていることを特徴とする。
【０００８】
請求項４記載の光装飾装置は、光源からの光を透光板内に導き該透光板の装飾を行う光装飾装置において、ケース内部に前記光源が設置され、かつ、ケース内側面に設けた開口から前記光源からの光を出射するように構成され、しかも、前記透光板の一面に装着される光源ユニットと、前記光源ユニットとは別体に構成され、前記透光板を挟んで前記開口と少なくとも対向する状態で前記透光板に装着される遮光部材とを備え、前記光源ユニットの前記透光板への装着は、前記透光板の一面に貼着され、かつ、前記光源ユニットを取り付けるための取付部材を介して行われ、前記遮光部材の前記透光板への装着は、前記透光板を挟んでの前記光源ユニットと前記遮光部材との磁気着によって行われるように構成されていることを特徴とする。
【０００９】
請求項５記載の光装飾装置は、請求項４に記載の光装飾装置において、前記取付部材に前記光源ユニットを取り付けた状態では、前記取付部材の少なくとも一部は前記開口に収容されるように構成され、該一部は前記光源からの光を前記透光板側に導く導光部を構成していることを特徴とする。
ここで、導光部の例としては、プリズム等の透明体や、鏡等の反射体が挙げられる。
【００１０】
請求項６記載の光装飾装置は、請求項４又は５に記載の光装飾装置において、前記取付部材の他に、前記透光板の一面に貼着され、かつ、前記取付部材に前記光源ユニットを取り付けた状態で前記開口に収容され、前記光源からの光を前記透光板側に導く導光部材を備えることを特徴とする。
ここで、導光部材の例としては、プリズム等の透明体や、鏡等の反射体が挙げられる。
【００１１】
請求項７記載の光装飾装置は、請求項４から６いずれか一に記載の光装飾装置において、前記取付部材の周縁の一部には凸部、凹部又は切欠きから構成される第１の係合部が形成され、前記ケースには、前記取付部材の貼着面に対して前記ケースを平行に一側に移動させることによって前記第１の係合部に係合され、かつ、係合状態から他側に移動させることによって係合解除される第２の係合部が形成されていることを特徴とする。
【００１２】
請求項８記載の光装飾装置は、請求項７に記載の光装飾装置において、前記第１の係合部と前記第２の係合部とを係合状態に保持する係合保持部材とを備えることを特徴とする。
この場合の係合保持部材は、取付部材又はケースのいずれに設けられていてもよい。
【発明の効果】
【００１３】
請求項１から４の発明によれば、光源ユニット及び遮光部材が任意の透光板に容易に装着できることになる。
【００１４】
また、請求項５の発明によれば、取付部材の少なくとも一部が光源からの光を透光板側に導く導光部を構成するので、取付部材と導光部材とを別体とする場合に比べて、簡素な構造とすることができる。
【００１５】
請求項６の発明によれば、取付部材の他に導光部材を備えるが、導光部材は貼着によって透光板に取り付けられるようになっているので、導光部材の装着が容易に行えることになる。
【００１６】
請求項７の発明によれば、取付部材の貼着面に対してケースを平行に一側に移動させることによって第１の係合部と第２の係合部が係合され、係合状態から他側に移動させることによって係合解除されるので、光源ユニットの位置決めや着脱が簡単に行えることになる。
【００１７】
請求項８の発明によれば、第１の係合部と前記第２の係合部とを係合状態に保持する係合保持部材を備えるので、取付状態を安定的に保持することができる。
【発明を実施するための最良の形態】
【００１８】
（第１実施形態）
図１は、第１実施形態の光装飾装置を透光板に設置した状態を示した斜視図、図２は、その光装飾装置の設置前の斜視図、図３はレバー（係合保持部材の一例）の働きを説明するための図、図４は、図１におけるＡ−Ａ線断面図、第５図は、プリズム（導光部材の一例）の斜視図である。
【００１９】
この第１実施形態の光装飾装置は、透光板１に貼着される導光部材としてのプリズム１０と、該導光部材に取り付けられる光源ユニット２０と、透光板１を挟んで光源ユニット２０に対向する位置に装着される遮光板（遮光部材）３０とから構成されている。
【００２０】
プリズム１０は、ガラス，アクリル等の透明な材料によって形成されている。このプリズム１０は、１つのブロック（プリズム片）または複数のブロックから構成される。この実施形態では３つのブロックから構成され、３つのブロックを隣同士が当接するように一列に配設することによってプリズム１０が構成されている。各ブロックは外側面（貼着面とは反対側の面）に、ブロックの配設方向に延びる凸条１１を有している（図５参照）。
なお、実施形態のプリズム１０を構成する３つのブロックは、ブロックが隣同士で当接する面は斜状の面となっている。これは、透光板１に貼着されたブロックの離脱を容易にするためである。すなわち、貼付されたブロックを透光板１から離脱させるためには、ブロックを透光板１の主面に沿って回転させることが好ましいが、ブロックが隣同士で当接する面がブロックの配設方向と直交している場合には、ブロックの回転が妨げられてしまうからである。これに対して、ブロックが隣同士で当接する面が斜状の面となっていれば、ブロックを回転させることができるからである。しかし、当接面の形状は、これに限定されるものではない。例えば、透光板１に弱く貼着されたブロックの場合には、回転させる必要がないので、ブロックが隣同士で当接する面がブロックの配設方向と直交していてもよい。また、ブロックを透光板１の主面に沿って回転させなければならない場合であっても、ブロックが隣同士で当接する面を斜状の面としないで、カギ状のものとしてもよい。
また、プリズム１０を構成する３つのブロックのうち両側に位置するブロックの側縁には、内側面に開口し上下方向に延びる切欠き（第１の係合部）１２が形成されている。この切欠き１２が形成されたブロックは、光源ユニット２０を取り付けるための取付部材をも構成している。
【００２１】
光源ユニット２０は、ケース２１内に一方向に並べて複数のＬＥＤ２２が配設されている。そして、ケース２１の内側面には、複数のＬＥＤ２１の頭部に位置する部分に開口２３が形成されている。この開口２３の縁のうち、ＬＥＤ２１の配設方向の両側に位置する縁同士の間隔は、図２上で下半部に対して上半部の方が幅広となっている。すなわち、幅狭の下半部開口２３ｂと幅広の上半部開口２３ａとを連設した形状となっている。そして、上半部開口２３ａが光放出用の開口を構成している。この上半部開口２３ａはプリズム１０全体をちょうど収容できる大きさとなっている。また、下半部開口２３ｂの対向する両側の縁は凸条（第２の係合部）２４を構成している。
この光源ユニット２０を、透光板１に貼着されたプリズム１０に取り付ける場合には、開口２３の上半部開口にプリズム１０を収容させるようにして光源ユニット２０の内面を透光板１の一面に接触させ、その後に、プリズム１０に対して光源ユニット２０を上方に移動させる。これによって、光源ユニット２０の凸条２４がプリズム１０の切欠き１２に係合することになる。開口２３の下縁がプリズム１０の下縁に当接した状態が光源ユニット２０の正規の装着位置である。
また、ケース２１における凸条２４の上方位置には、図３に示すように、レバー（係合保持手段）２５が配設されている。このレバー２５は、捩じりコイルばね（図示せず）によって、先端２５ａがプリズム１０の移動域上方を塞ぐように付勢されている（図３の左側レバー２５参照）。そして、光源ユニット２０が正規の装着位置にあるときに、先端２５ａがプリズム１０の上縁に乗るように構成されている。これによって、光源ユニット２０の凸条２４とプリズム１０の切欠き１２との係合状態が保持される。
なお、ケース内側面には、適宜箇所に磁石２６が貼設されている。
【００２２】
遮光板３０は光源ユニット１０からの光の漏れを防止するためのものである。遮光板３０の平面的な大きさは、光源ユニット２０とほぼ同じとなっている。この遮光板３０の内面には凹部３１が形成されている。そして、凹部内には、上記プリズム１０の凸条２４を挟み込むための溝３２が形成されている。この溝３２の長さは、プリズム１０の３つのブロックの凸条２４を同時に挟み込める長さとなっていることが好ましい。このようにすれば、透光板１に貼着するときに、３つのブロックの凸条２４を挟み込むことで、ブロックを整列状態で透光板１に貼着することができることとなる。一方、３つのブロックを透光板１から離脱するときには、溝３２の端部を使用し、１つずつ離脱することが好ましい。この場合、上述したように、ブロック同士が当接する面が斜状の面となっていれば、溝３２に挟み込んだブロックを所定方向に回転させることによって容易に離脱させることができる。
なお、遮光板３０の内側（透光板１に面する側）には、上記光源ユニット２０の磁石２６と対向する位置に磁石３３が貼着されている。
【００２３】
なお、この実施の形態で使用される透光板１は、ガラス，アクリル等の透明な材料によって形成され、ブラスト加工やマーカー等によって文字，絵等の表示部２が形成されている。
【００２４】
以上のように構成された光装飾装置の使用方法を説明する。
先ず、プリズム１０の内面を透明な両面粘着テープ，透明な接着剤等によって透光板１の一面下端に貼着する。
次いで、レバー２５を捩じりコイルばね（図示せず）の付勢力に抗して動作させ、先端２５ａを凸条２４に合致させ、この状態で、レバー２５の先端２５ａと光源ユニット２０の凸条２４とをプリズム１０の切欠き１２へ下方から嵌め込み、光源ユニット２０を透光板１の主面に対して上方へ平行移動することによってプリズム１０の切欠き１２に嵌合（係合）させる。一旦、光源ユニット２０の凸条２４をプリズム１０の切欠き１２へ下方から嵌め込んだ後には、レバー２５から手を離してもよい。このときには、レバー２５ａの先端２５ａがプリズム１０の切欠き１２の上端を超えた所で、レバー２５は捩じりばね（図示せず）の付勢力によって復帰し、先端２５ａがプリズム１０の上縁に乗ることになる。その結果、光源ユニット２０はプリズム１０に係止される。勿論、レバー２５ａの先端２５ａがプリズム１０の切欠き１２の上端を超えるまで、レバー２５をコイルばね（図示せず）の付勢力に抗して動作させておいてもよい。この場合には、レバー２５ａの先端２５ａがプリズム１０の切欠き１２の上端を超えた所で、レバー２５から手を離せば、レバー２５は捩じりばね（図示せず）の付勢力によって復帰し、先端２５ａがプリズム１０の上縁に乗ることになる。
次いで、透光板１の反対側の面に、遮光板１の内面側を光源ユニット２０の内側面に対向させるようにして接触させ、遮光板３０の磁石３３の磁力を光源ユニット２０の磁石２６に作用させることによって、遮光板３０を透光板１を挟んで光源ユニット１０に磁気着させる。
これによって、光装飾装置は透光板１に設置される。
【００２５】
このようにして透光板１に設置された光装飾装置においては、図４に示すように、光源２２の光をプリズム１０を経て透光板１内に入射させる。そして、透光板１内に入射した光は、表示部２で乱反射され、外部に出射される。
したがって、この光源表示装置では、透光板１の全体が弱く光り、また、表示部２が強く光って、浮き出るようになり、透光板１が装飾される。
【００２６】
なお、透光板１から光装飾装置を取り外す場合には、先ず、遮光板３０を光源ユニット２０からの磁力に抗して透光板１から取り外す。次いで、レバー２５を捩じりコイルばね（図示せず）の付勢力に抗して動作させ、先端２５ａを凸条２４に合致させ、この状態で、光源ユニット２０を透光板１の主面に対して下方へ平行移動させて、光源ユニット２０の凸条２４とプリズム１０の切欠き１２との係合を解除し、光源ユニット２０をプリズム１０から取り外す。
次いで、遮光板３０の溝３２をプリズム１０の凸条１２に嵌め込み、遮光板３０を捩じる（回転させる）ことによって、プリズム１０を透光板１から剥す。
【００２７】
（第１実施形態の変形例）
図６および図７は、第１実施形態の変形例である光装飾装置を示している。図６は、その光装飾装置の斜視図、図７は、その光装飾装置を透光板に設置した状態の断面図である。
この実施形態では、内側面を光源ユニット２０の開口２３に臨ませて、プリズム１０をケース２１内に収容している。
【００２８】
この実施形態では、図７に示すように、透光板１を挟むようにして光源ユニット２０と遮光板３０を対向させ、透光板１と光源ユニット２０とを透光板１を挟んで磁石２６，３３によって磁気着させる構造となっている。
【００２９】
この実施形態では、プリズム１０を光源ユニット２０に内蔵しているので、プリズム１０を透光板１に貼着する必要がない。ただし、プリズム１０を密着させないと光が十分に透光板１に導入されないので注意を要する。したがって、透明パッドなどを介してプリズム１０を透光板１に密着させることが好ましい。
【００３０】
この第１実施形態の変形例によれば、プリズム１０に光源ユニット２０を係止する必要がないことから、プリズム１０に形成する切欠き１２および光源ユニット２０のケース２１に形成する凸条２４を必要とせず、さらには、ケース２１にレバー２５を配設する必要がないので、構造が極めてシンプルになる。
【００３１】
（第２実施形態）
図８は、第３実施形態に係る光装飾装置を透光板に設置した状態を示した斜視図、図９は、その光装飾装置の設置前の斜視図、図１０は蛍光灯及び蛍光灯カバーの斜視図、図１１は、図８におけるＢ−Ｂ線断面図、図１２は、カバーの取付構造を示す図、図１３は、光源ユニットの取付構造を示す図である。
【００３２】
この第２実施形態の光装飾装置は、透光板１に貼着する導光部材としてのプリズム１０と、該導光部材に取付けられる光源ユニット６０と、透光板１における光源ユニット６０の設置面と反対側の面に取付けられる遮光板（遮光部材）７０とから構成されている。
【００３３】
プリズム１０は、特に限定はされないが、第１の実施形態と同一の構造となっている。
【００３４】
光源ユニット６０は、ケース６１内に幅方向に延在する蛍光灯６２が設置された構造となっている。すなわち、蛍光灯６２はソケット付きホルダ６３に取り付けられており、このホルダ６３はカバー６４に嵌合されている。そして、この状態で、ケース２１に内側から取り付けられている。カバー６４の幅方向両側壁６４ａ，６４ａにはそれぞれＵ字状の係止部６４ｃが付設されている。各々のＵ字状の係止部６４ｃは弾性変形可能に構成され、カバー６４をケース２１に内側からはめ込んだ際に自由端がカバー６４に接近する方向に弾性変形する。そして、図１２に示すように、カバー６４をケース２１の奥まで嵌め込んだときに各々の係止部６４ｃは元位置に復帰し、自由端近傍に付設された爪６４ｄがケース２１の内側壁の内面に係止される。一方、ケース２１からカバー６４を取り外す際には、係止部６４ｃの自由端を指でカバー６４から離間する方向に操作しながらカバー６４をケース２１から取り外す。
また、カバー６４には嵌め込んだホルダ６３を取り外すための２つの孔６４ｅが形成されている。カバー６４に嵌め込んだホルダ６３を取り外すには、２つの孔６４ｅに指を入れて指でホルダ６３を押し出すようにする。
さらに、カバー６４にはミラー６４ｆが付設されている。このミラー６４ｆは、ホルダ６３をカバー６４に嵌め込んだ際にホルダ６３と蛍光灯６２との隙間に入り込み、蛍光灯６２からの光を所定方向に反射して光のロスを防止する働きをする。
また、ケース６１の内側面には、カバー６４を嵌め込んだ際に光放出用の開口６５が形成されるようになっている。この光放出用の開口６５はプリズム１０全体をちょうど収容できる大きさとなっている。そして、この光源ユニット２０を、透光板１に貼着されたプリズム１０に取り付ける場合には、開口６５にプリズム１０を収容させるように光源ユニット６０を透光板１側へ押し込むようにする。
光源ユニット６０のケース６１の両側壁にはレバー６１ａが形成されている。このレバー６１ａはリンク６１ｂを介して爪６１ｃを動作させるように構成されている。爪６１ｃの先端部は透光板１に面する側が先端側に向けて先細りとなるように傾斜した形状となっている。そして、開口６５にプリズム１０を収容させるように光源ユニット６０を透光板１側へ押し込んだ際に爪（係合部）６１ｃがばね（引きばね）６１ｄの付勢力に抗してケース６１内に没し、プリズム１０の切欠き１２に至った所でばね６１ｄの付勢力によって切欠き（係合部）１２の壁に係合される。一方、光源ユニット６０を透光板に貼着されたプリズム１０から取り外す際には、レバー６１ａをばね６１ｄの付勢力に抗してケース６１内に没しさせた状態で、光源ユニット６０を取り外す。
なお、ケース６１の内面には、例えばウレタンで形成されたパッド６１ｅが付設されている。このパッド６１ｅは光源ユニット６０を透光板１に装着した際に透光板１の主面に当接して光の漏れを防止する働きをする。また、ケース６１の内面には、適宜箇所に磁石６１ｆが貼設されている。
【００３５】
遮光板７０の平面的な大きさは、光源ユニット６０とほぼ同じとなっている。この遮光板７０の内面には凹部７１が形成されている。この凹部７１は必須のものではない。なお、、凹部７１内には、プリズム１０の凸条２４を挟み込む溝（第１実施形態の溝３２に相当するもの）が形成されていることが好ましい。
なお、遮光板７０の凹部７１には、光源ユニット６０の磁石６１ｆと対向する位置にそそれぞれ磁石７２が貼着されている。
【００３６】
なお、ホルダ６３には電源供給のための電源コードのプラグが接続されるコネクタ（図示せず）が付設され、これに対応してカバー６４及びケース６１にプラグを挿入するための孔６４ｇ，６１ｇが形成されている。また、ホルダ６３には電源投入用のスイッチ６３ａが付設され、このスイッチ６３ａはホルダ６３をケース６１に組み込んだ際にケース６１の外面から露出するようになっている。
【００３７】
以上、本発明の実施形態について説明したが、本発明は、かかる実施形態に限定されるものではない。
【００３８】
上記実施形態では、導光部材としてプリズムを用いたが、ミラーを使用してもよいことは勿論である。
【図面の簡単な説明】
【００３９】
【図１】第１実施形態の光装飾装置を透光板に設置した状態を示した斜視図である。
【図２】第１実施形態の光装飾装置の設置前の状態を示す斜視図である。
【図３】第１実施形態の光装飾装置のレバー（係合保持部材の一例）の働きを説明するための図である。
【図４】図１におけるＡ−Ａ線断面図である。
【図５】第１実施形態のプリズム（導光部材の一例）の斜視図である。
【図６】第１実施形態の変形例の光装飾装置の他の実施形態を示した斜視図である。
【図７】図６に示した光装飾装置を透光板に装着した状態の断面図である。
【図８】第３実施形態に係る光装飾装置を透光板に設置した状態を示した斜視図である。
【図９】第３実施形態の光装飾装置の設置前の斜視図である。
【図１０】第３実施形態の光装飾装置の蛍光灯及び蛍光灯カバーの斜視図である。
【図１１】図８におけるＢ−Ｂ線断面図である。
【図１２】第３実施形態の光装飾装置のカバーの取付構造を示す図である。
【図１３】第３実施形態の光装飾装置の光源ユニットの取付構造を示す図である。
【符号の説明】
【００４０】
１      透光板
２      表示部
１０    導光部材（プリズム）
１１    凸条
１２    切欠き（第１の係合部）
２０    光源ユニット
２１    ケース
２２    ＬＥＤ（光源）
２３    開口
２４    凸条（第２の係合部）
２５    レバー
２６    磁石
３０    遮光板
３１    凹部
３２    溝
３３    磁石
【図１】
2008047346.tif 000003
【図２】
2008047346.tif 000004
【図３】
2008047346.tif 000005
【図４】
2008047346.tif 000006
【図５】
2008047346.tif 000007
【図６】
2008047346.tif 000008
【図７】
2008047346.tif 000009
【図８】
2008047346.tif 000010
【図９】
2008047346.tif 000011
【図１０】
2008047346.tif 000012
【図１１】
2008047346.tif 000013
【図１２】
2008047346.tif 000014
【図１３】
2008047346.tif 000015